(57)【要約】【課題】本発明は、平面部が形成された偏波保持光ファイバ及び偏波保持光ファイバの平面部と一致するように形成された溝を有する光ファイバ保持基板で構成された光接続部品を提供することを目的とする。【解決手段】本発明の光接続部品は、長手方向の側面に、長手方向に平行な一定幅の平面部が形成されている偏波保持光ファイバと、偏波保持光ファイバの平面部と面接触する底面に偏波保持光ファイバが搭載され、平面部の幅と等しく、底面までの深さが偏波保持光ファイバの短径よりも浅い平溝を有する光ファイバ保持基板と、偏波保持光ファイバに当接した状態で、光ファイバ保持基板に接着固定された押え板とを備える。【選択図】図１
2015068892.tif 000002
【特許請求の範囲】
【請求項１】
長手方向の側面に、長手方向に平行な一定幅の平面部が形成されている偏波保持光ファイバと、
前記偏波保持光ファイバの前記平面部と面接触する底面に前記偏波保持光ファイバが搭載され、前記平面部の幅と等しく、前記底面までの深さが前記偏波保持光ファイバの短径よりも浅い平溝を有する光ファイバ保持基板と、
前記偏波保持光ファイバに当接した状態で、前記光ファイバ保持基板に接着固定された押え板と、
を備えることを特徴とする光接続部品。
【請求項２】
長手方向の側面に、長手方向に平行で互いに平行でない２つの一定幅の平面部が形成されている偏波保持光ファイバと、
前記偏波保持光ファイバの前記２つの平面部がそれぞれ面接触する２つの斜面部に前記偏波保持光ファイバが搭載され、前記偏波保持光ファイバが開口面から突出する深さの溝を有する光ファイバ保持基板と、
前記偏波保持光ファイバに当接した状態で、光ファイバ保持基板に接着固定される押え板と、
を備えることを特徴とする光接続部品。
【発明の詳細な説明】
【技術分野】
【０００１】
本発明は、偏波保持光ファイバの偏波面を固定する機能を用いた光接続部品に関する。
【背景技術】
【０００２】
光伝送システムにおいて、直交する偏波面を持つ２つの偏波を互いに干渉することなく伝播することのできる偏波保持光ファイバが用いられている。この偏波保持光ファイバはコアを有し、コアの周囲を取り囲むクラッド領域中に、コアを中心として対称であり、コアと並置した一対の応力付与部を有している。応力付与部は、コアに応力を付与して複屈折を誘起するために設けられ、クラッドを構成するガラスの熱膨張率と異なる熱膨張率と、コアの直径よりも大きい直径とを有している。
【０００３】
一方の偏波保持光ファイバ及び他方の偏波保持光ファイバを接続する為の部品として、関連技術では、光接続部品が用いられている。図３に示す光接続部品は、偏波保持光ファイバ２１を配置するための溝を備えた光ファイバ保持基板２２に対し、偏波保持光ファイバ２１を溝に配置した状態で、偏波保持光ファイバ２１の軸方向に対し光ファイバ保持基板２２を垂直方向から押え板１３で押える構成となっている。図３に示す偏波保持光ファイバ２１は、コア９を有し、コア９の周囲を取り囲むクラッド領域中に、コア９を中心として対称であって、コア９と並置して延びる一対の応力付与部１０を有している。
【０００４】
しかし、偏波保持光ファイバ同士を光接続部品により接続する際、コア９及び応力付与部１０の両部材の相対位置は、互いに正確に一致した状態で接続されなければならない。コア９及び応力付与部１０の両部材の相対位置がずれた状態で接続された場合、正確な光伝送を行うことが困難となる。
【０００５】
光接続部品に偏波保持光ファイバ２１を配置する際、関連技術では、円柱形状である偏波保持光ファイバ２１の位置を、円柱軸方向の回転を規制し、所望の位置で固定することはきわめて難しく、また、コア９及び応力付与部１０の両部材の相対位置がずれた状態で接続された場合、正確な光伝送を行うことが困難となる。
【発明の概要】
【発明が解決しようとする課題】
【０００６】
前記課題を解決するために、本発明は、光接続部品において、偏波保持光ファイバを容易に固定することを目的とする。
【課題を解決するための手段】
【０００７】
上記目的を達成するため、本発明では、平面部が形成された偏波保持光ファイバ及び偏波保持光ファイバの平面部と一致するように形成された溝を有する光ファイバ保持基板で構成された光接続部品を提供する。
【０００８】
具体的には、本発明に係る光接続部品は、
長手方向の側面に、長手方向に平行な一定幅の平面部が形成されている偏波保持光ファイバと、
前記偏波保持光ファイバの前記平面部と面接触する底面に前記偏波保持光ファイバが搭載され、前記平面部の幅と等しく、前記底面までの深さが前記偏波保持光ファイバの短径よりも浅い平溝を有する光ファイバ保持基板と、
前記偏波保持光ファイバに当接した状態で、前記光ファイバ保持基板に接着固定された押え板とを備える。
【０００９】
本発明に係る光接続部品は、
長手方向の側面に、長手方向に平行で互いに平行でない２つの一定幅の平面部が形成されている偏波保持光ファイバと、
前記偏波保持光ファイバの前記２つの平面部がそれぞれ面接触する２つの斜面部に前記偏波保持光ファイバが搭載され、前記偏波保持光ファイバが開口面から突出する深さの溝を有する光ファイバ保持基板と、
前記偏波保持光ファイバに当接した状態で、光ファイバ保持基板に接着固定される押え板とを備える。
【００１０】
なお、上記各発明は、可能な限り組み合わせることができる。
【発明の効果】
【００１１】
本発明によれば、光接続部品において、偏波保持光ファイバを容易に固定することができる。
【図面の簡単な説明】
【００１２】
【図１】本実施形態に係る平溝光接続部品の構成を示す一例である。
【図２】本実施形態に係るＶ溝光接続部品の構成を示す一例である。
【図３】関連技術に係る光接続部品の構成を示す一例である。
【発明を実施するための形態】
【００１３】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１４】
（実施形態１）
図１に、本実施形態に係る光接続部品の第１の構成例を示す。本実施形態に係る光接続部品は、押え板１３、偏波保持光ファイバとして機能する平溝用偏波保持光ファイバ１１及び光ファイバ保持基板として機能する平溝光ファイバ保持基板１２を備える。ここで、平溝用偏波保持光ファイバ１１は、コア９及びコア９を挟んで一対に並置された応力付与部１０を有してもよい。このとき、コア９の中心点及び応力付与部１０の中心点の結線Ｌと、平面部１４とは平行の関係にある。
【００１５】
平溝用偏波保持光ファイバ１１は、長手方向に平行な一定幅で平面部１４を形成したガラス母材を線引きすることで、平溝の形状に適した平面部１４が形成される。例えば、平溝用偏波保持光ファイバ１１はＰＡＮＤＡ型偏波保持光ファイバであってもよい。ＰＡＮＤＡ型偏波保持光ファイバの円柱状のガラス母材には、光を伝送するコア９と、コア９を挟んで一対に並置することでコア９に非軸対称な応力を与える応力付与部１０とが配置される。
【００１６】
コア９及び応力付与部１０が配置された円柱状のガラス母材に対し、線引き後において所望の幅の平面部１４を形成することができるように、予め平面部を形成する。予め平面部を形成したガラス母材を線引きすることで、平面部を維持したままの平溝用偏波保持光ファイバ１１を作製することができる。ここで、平溝用偏波保持光ファイバ１１は、直径１２５μ又は８０μの外径からなるＰＡＮＤＡ型の偏波保持光ファイバであってもよい。
【００１７】
平溝光ファイバ保持基板１２は、平溝を備え、平溝光ファイバ保持基板１２に備えられた平溝には、平溝用偏波保持光ファイバ１１が配置される。また、平溝光ファイバ保持基板１２には、平溝用偏波保持光ファイバ１１に形成されている平面部の幅と同じ長さの幅の平溝が形成されている。
【００１８】
具体的には、平溝の形状は、幅が、平面部１４と面接触する底面の幅が偏波保持光ファイバの平面部１４の幅と同じ長さの幅になるように形成され、偏波保持光ファイバが底面に面接触するまでの受け入れ口の開口幅が、偏波保持光ファイバの直径以上の開口幅になるように形成され、底面から開口幅までの高さＨが、平面部１４から直交する偏波保持光ファイバ終端の最大高さ以下の高さになるように形成されてもよい。これにより、平溝光ファイバ保持基板１２に形成された平溝の底面と、平溝用偏波保持光ファイバ１１に形成されている平面部１４とを面接触させることで、容易に平溝用偏波保持光ファイバ１１の偏波面を固定することができる。
【００１９】
ここで、平溝光ファイバ保持基板１２は、ホウケイ酸ガラス又は石英ガラスであってもよい。また、平溝用偏波保持光ファイバ１１及び平溝光ファイバ保持基板１２の断面形状が台形状になってもよい。この場合、底面の端部から開口部までの傾斜面の外角は６０度であってもよい。
【００２０】
平溝用偏波保持光ファイバ１１は、平溝光ファイバ保持基板１２に配置され、平溝用偏波保持光ファイバ１１が押え板１３に当接した状態で、平溝光ファイバ保持基板１２と押え板１３を接着剤で接着固定する。平溝光ファイバ保持基板１２及び押え板１３は、ＳＩと同じ熱膨張係数であるホウケイ酸ガラス又は接着剤に使われるＵＶ硬化樹脂のための紫外線透過石英系ＰＬＣ（Ｐｌａｎａｒ  Ｌｉｇｈｔｗａｖｅ  Ｃｉｒｃｕｉｔ）に適応する石英ガラスであってもよい。ここで、平溝光ファイバ保持基板１２及び押え板１３は、同一の材料であることが望ましい。
【００２１】
押え板１３は、平板状を有しており、光ファイバ保持基板１２に対して平溝用偏波保持光ファイバ１１を保持する固定手段である。光ファイバ保持基板１２に保持された平溝用偏波保持光ファイバ１１は、光ファイバ保持基板１２に形成された平溝の底面に接触させるための受け入れ口となる開口面から、突出するように配置されている。
【００２２】
開口面から突出した平溝用偏波保持光ファイバ１１の突出部が、押え板１３に当接した状態で固定されるように、光ファイバ保持基板１２に対して押え板１３で固定する。光ファイバ保持基板１２に対して押え板１３で固定する際は、押え板１３及び光ファイバ保持基板１２の間隙に充填された接着剤により接着固定する。これにより、光接続部品として機能するように一体的に固定させることができる。
【００２３】
（実施形態２）
本実施形態に係る光接続部品は、偏波保持光ファイバの突出部が押え板１３に当接した状態で固定されるように、光ファイバ保持基板に対して押え板１３で固定する点については実施形態１と同様であるが、光ファイバ保持基板に対し偏波保持光ファイバを正確に配置するための偏波保持光ファイバ及び光ファイバ保持基板の形状が実施形態１の発明と異なる。
【００２４】
図２に、本実施形態に係る光接続部品の第２の構成例を示す。本実施形態に係る光接続部品は、押え板１３、偏波保持光ファイバとして機能するＶ溝用偏波保持光ファイバ１５及び光ファイバ保持基板として機能するＶ溝光ファイバ保持基板１６を備える。ここで、Ｖ溝用偏波保持光ファイバ１５は、コア９及びコア９を挟んで一対に並置された応力付与部１０を有してもよい。
【００２５】
Ｖ溝用偏波保持光ファイバ１５は、長手方向に平行で互いに平行でない２つの一定幅の斜面部を形成したガラス母材を線引きすることで、Ｖ溝の形状に適した斜面部１４−１及び斜面部１４−２が形成される。例えば、Ｖ溝用偏波保持光ファイバ１５はＰＡＮＤＡ型偏波保持光ファイバであってもよい。ＰＡＮＤＡ型偏波保持光ファイバの円柱状のガラス母材には、光を伝送するコア９と、コア９を挟んで一対に並置することでコア９に非軸対称な応力を与える応力付与部１０とが配置される。
【００２６】
コア９及び応力付与部１０が配置された円柱状のガラス母材に対し、線引き後において所望の幅の斜面部を形成することができるように、予め２つの斜面部を形成する。２つの斜面部を形成したガラス母材を線引きすることで、２つの斜面部を維持したままのＶ溝用偏波保持光ファイバ１５を作製することができる。ここで、Ｖ溝用偏波保持光ファイバ１５は、直径１２５μ又は８０μの外径からなるＰＡＮＤＡ型の偏波保持光ファイバであってもよい。
【００２７】
Ｖ溝光ファイバ保持基板１６は、Ｖ溝を備え、Ｖ溝光ファイバ保持基板１６に備えられたＶ溝には、Ｖ溝用偏波保持光ファイバ１５が配置される。また、Ｖ溝光ファイバ保持基板１６には、Ｖ溝用偏波保持光ファイバ１５に形成されている斜面部１４−１及び斜面部１４−２の幅と同じ長さの幅のＶ溝が形成されている。
【００２８】
具体的には、Ｖ溝の形状は、幅が、Ｖ溝用偏波保持光ファイバ１５の斜面部１４−１及び斜面部１４−２と面接触する光ファイバ保持基板側の斜面部の幅が偏波保持光ファイバの斜面部１４−１及び斜面部１４−２の幅と同じ長さの幅になるように形成され、偏波保持光ファイバがそれぞれの斜面部に面接触するまでの受け入れ口の開口幅が、偏波保持光ファイバの直径以上の開口幅になるように形成され、偏波保持光ファイバを開口面から突出するように、斜面部１４−１及び斜面部１４−２のＶ字形状の頂点から開口面までの高さＨが、偏波保持光ファイバ終端の高さになるように形成されてもよい。
【００２９】
また、Ｖ溝用偏波保持光ファイバ１５において、互いに平行でない２つの平面部が交線を形成するように配置されることで、断面にＶ字型の形状の先端部が形成されている。ここで、先端部の形状はＶ形状ではなく、開いたＵ字型の形状であってもよい。具体的には、開いたＵ字型の形状は互いに平行でない２つの平面部が交線を形成しないように配置されると、断面において開いたＵ字型の形状の先端部が形成される。
【００３０】
先端部を開いたＵ字型の形状とした場合、光ファイバ保持基板の２つの斜面部は、偏波保持光ファイバの２つの平面部にそれぞれ面接触するように配置されていれば、光ファイバ保持基板の溝における２つの斜面部が交わる先端の形状は、Ｖ形状ではなく、開いたＵ字型の形状又は平面形状であってもよい。
【００３１】
これにより、光ファイバ保持基板に形成された溝の２つの斜面部と、偏波保持光ファイバに形成されている斜面部１４−１及び斜面部１４−２とをそれぞれ面接触させることで、容易に偏波保持光ファイバの偏波面を固定することができる。
【産業上の利用可能性】
【００３２】
本発明は情報通信産業に適用することができる。
【符号の説明】
【００３３】
９：コア
１０：応力付与部
１１：平溝用偏波保持光ファイバ
１２：平溝光ファイバ保持基板
１３：押え板
１４、１４−１、１４−２：斜面部
１５：Ｖ溝用偏波保持光ファイバ
１６：Ｖ溝光ファイバ保持基板
２１：偏波保持光ファイバ
２２：光ファイバ保持基板
【図１】
2015068892.tif 000003
【図２】
2015068892.tif 000004
【図３】
2015068892.tif 000005